(57)【要約】【課題】騒音の発生を抑制可能な記録材処理装置等を提供する。【解決手段】ガイド部３０は、外側ガイド部３１と、内側ガイド部３５とから構成されている。外側ガイド部３１は、この外側ガイド部３１と内側ガイド部３５との間に形成された用紙の搬送経路に向かって突出したリブ（板）状部材により構成されている。このリブ状部材は、用紙の搬送方向と略直角方向に所定の間隔をおいて略平行に配置されている。また、このリブ状部材は搬送されてきた用紙と摺動し用紙を搬送部２０へ導く役割を果たす。さらに、このリブ状部材は、支持部２７に取り付けられ支持部２７と一体に構成されている。オフセット動作により用紙が移動する際、外側ガイド部３１は、支持部２７と同速度で同方向に同量移動するため、外側ガイド部３１が波形形状の凸部を潰すことによって発生する騒音を防止することができる。【選択図】図４
2008063071.tif 000002
【特許請求の範囲】
【請求項１】
記録材に波形形状を形成する形成部と、
前記形成部を記録材の面上で搬送方向と交差する方向に移動させる移動部と、
記録材の面上で搬送方向と交差する方向に移動可能に設けられ、搬送されてきた記録材を前記形成部に案内する案内部と、
前記移動部による前記形成部の移動に連動して前記案内部を移動させる連動手段と、
を含む記録材処理装置。
【請求項２】
前記形成部は、互いに対向して配置され、円筒状部材を有する形成部材と、当該形成部材同士の相対位置を維持させる維持部とから構成され、
前記連動手段は、前記案内部を前記維持部に保持させることで構成されていることを特徴とする請求項１記載の記録材処理装置。
【請求項３】
前記連動手段は、前記案内部を前記形成部に保持させることで構成され、
前記案内部は、当該案内部が前記形成部に保持される保持部を中心として記録材の搬送経路から離れる方向に回転可能に設けられていることを特徴とする請求項１記載の記録材処理装置。
【請求項４】
記録材上に画像を形成するための画像形成部と、
記録材に波形形状を形成するとともに記録材を搬送する搬送部と、
前記搬送部を記録材の面上で搬送方向と交差する方向に移動させる移動部と、
前記移動部による前記搬送部の移動に伴って移動し、前記画像形成部から搬送されてきた記録材を当該搬送部に案内する案内部と、
を含む画像形成装置。
【請求項５】
前記案内部とは連動しない状態で設けられ、搬送されてきた記録材の搬送方向を当該案内部に向けて規定する規定部とを更に備えたことを特徴とする請求項４記載の画像形成装置。
【請求項６】
記録材上に画像を形成する画像形成装置であって、
装置本体部と、
前記装置本体部に対して開閉可能に設けられた開閉部と、
記録材に波形形状を形成するとともに記録材を搬送する搬送部と、
前記搬送部を記録材の搬送方向と交差する方向に移動させる移動部と、
前記開閉部が閉じた状態において前記搬送部と連動し、搬送されてきた記録材を当該搬送部に案内する案内部を有し、
前記開閉部が開いた状態において前記搬送部との連動が解除されることを特徴とする画像形成装置。
【請求項７】
前記案内部と前記搬送部とを互いに連動可能に結合させる結合部を更に備えたことを特徴とする請求項６記載の画像形成装置。
【請求項８】
前記案内部を前記開閉部に相対移動可能に支持させる支持部材を更に備えたことを特徴とする請求項６記載の画像形成装置。
【請求項９】
記録材に波形形状を形成する形成部と、
前記形成部を記録材の面上で搬送方向と交差する方向に移動させる移動部と、
記録材の面上で搬送方向と交差する方向に移動可能に設けられ、搬送されてきた記録材を前記形成部に案内する案内部とを含み、
前記形成部の移動に伴う記録材の移動に対し、記録材の面上で搬送方向と交差する方向に相対的な移動が生じないように前記案内部を移動することを特徴とする記録材処理装置。
【発明の詳細な説明】
【技術分野】
【０００１】
本発明は、複写機、プリンタ等の画像形成装置などに用いられる記録材処理装置、および画像形成装置に関するものである。
【背景技術】
【０００２】
記録材処理装置、及び画像形成装置においては、用紙に波形形状（コルゲーション）を形成する技術が知られている（例えば、特許文献１参照）。
【０００３】
また、画像形成装置においては、用紙の搬送方向と交差（直交）する方向に用紙の排出位置をずらして積載する技術が知られている。
そして、用紙に波形形状を付与するとともに、用紙の搬送方向と交差する方向に用紙の排出位置をずらすようにする技術もまた知られている。
【０００４】
【特許文献１】特開２００６−８２８９９号公報
【発明の開示】
【発明が解決しようとする課題】
【０００５】
ところで、用紙に波形形状を付与する機構の用紙搬送方向上流側には、用紙の搬送方向と交差する方向に凹凸状に形成され搬送されてきた用紙をガイドする案内部が設けられていることが多い。このような場合に、用紙の排出位置を用紙の搬送方向と交差する方向にずらそうとすると、用紙と案内部の相対位置が変化し、波形形状に形成された用紙の凸部が案内部により潰され音が発生する。そして、この音は周辺環境に対する騒音となる。
【０００６】
本発明は、以上のような技術的課題を解決するためになされたものであり、その目的とするところは、騒音の発生を抑制可能な記録材処理装置等を提供することにある。
【課題を解決するための手段】
【０００７】
かかる目的のもと、本発明が適用される記録材処理装置は、記録材に波形形状を形成する形成部と、形成部を記録材の面上で搬送方向と交差する方向に移動させる移動部と、記録材の搬送方向と交差する方向に移動可能に設けられ、搬送されてきた記録材を形成部に案内する案内部と、移動部による形成部の移動に連動して案内部を移動させる連動手段と、を有する。
【０００８】
ここで、形成部は、互いに対向して配置され、円筒状部材を有する形成部材と、形成部材同士の相対位置を維持させる維持部とから構成され、連動手段は、案内部を維持部に保持させることで構成されていることを特徴とすることができる。
また、連動手段は、案内部を形成部に保持させることで構成され、案内部は、案内部が形成部に保持される保持部を中心として記録材の搬送経路から離れる方向に回転可能に設けられていることを特徴とすることができる。
【０００９】
また、本発明を画像形成装置に適用した場合、本発明が適用される画像形成装置は、記録材上に画像を形成するための画像形成部と、記録材に波形形状を形成するとともに記録材を搬送する搬送部と、搬送部を記録材の面上で搬送方向と交差しかつ記録材の面と直交する方向に移動させる移動部と、移動部による搬送部の移動に伴って移動し、画像形成部から搬送されてきた記録材を搬送部に案内する案内部と、を有する。
【００１０】
ここで、画像形成部により記録材上に形成されたトナー画像を記録材上に定着させる定着器と、定着器側に案内部とは連動しない状態で設けられ、定着器から搬送されてきた記録材の搬送方向を案内部に向けて規定する規定部とを更に備えたことを特徴とすることができる。
【００１１】
他の観点から捉えると、本発明が適用される画像形成装置は、記録材上に画像を形成する画像形成装置であって、装置本体部と、装置本体部に対して開閉可能に設けられた開閉部と、記録材に波形形状を形成するとともに記録材を搬送する搬送部と、搬送部を記録材の搬送方向と交差しかつ記録材の面と直交する方向に移動させる移動部と、開閉部が開いた状態において搬送部と離間し、開閉部が閉じた状態において搬送部と連動可能に係合し、搬送されてきた記録材を搬送部に案内する案内部と、を有する。
【００１２】
ここで、案内部と搬送部とを互いに結合させる結合部を更に備えたことを特徴とすることができる。
また、案内部を開閉部に相対移動可能に支持させる支持部材を更に備えたことを特徴とすることができる。
また、形成部の移動に伴う記録材の移動に対し、記録材の面上で搬送方向と交差する方向に相対的な移動が生じないように案内部を移動することを特徴とすることができる。
【発明の効果】
【００１３】
本願請求項１及び請求項２に係る発明によれば、本発明を実施しない場合に比べて騒音の発生を抑制可能な記録材処理装置等を提供することが可能となる。
請求項３に係る発明によれば、請求項１の効果に加え、記録材を除去する必要が生じた際に容易に行なうことができる。
請求項４に係る発明によれば、画像形成装置の騒音を抑制することが可能である。
請求項５に係る発明によれば、請求項４の効果に加え、複雑な構造を取ることなく記録材の搬送を確実に行うことが可能である。
請求項６、７、８に係る発明によれば、記録材を除去する必要が生じた際に容易に行なうことができる。
請求項９に係る発明によれば、本発明を実施しない場合に比べて騒音の発生を抑制可能な記録材処理装置等を提供することが可能となる。
【発明を実施するための最良の形態】
【００１４】
以下、添付図面を参照して、本発明の実施の形態について詳細に説明する。
―第１の実施形態―
図１は、第１の実施形態に係る画像形成装置の全体構成を示した図であり、レーザビームプリンタを例示している。
【００１５】
図１に示す画像形成装置は、本体１に、記録材の一例としての用紙に画像を形成する画像形成部１０と、記録材である用紙を搬送するシート搬送系６０と、各装置（各部）の動作を制御する駆動制御装置８１と、各装置等の電源となる電源装置８２とを備えている。また、本画像形成装置は、画像形成部１０により用紙上に形成されたトナー画像を用紙に定着する定着器４０を備えている。さらに、本画像形成装置は、定着器４０によって定着された用紙に後述する所定の処理を行う記録材処理装置９０を備えている。
【００１６】
画像形成部１０は、トナー像を形成するトナー像形成装置１１と、このトナー像形成装置１１にレーザ光を照射する光学系ユニットである静電潜像形成機構１７と、トナー像形成装置１１によって形成されたトナー像を用紙上に転写する転写部５０と、を備えている。
トナー像形成装置１１は、トナー像を保持する像保持体としての感光体ドラム１２と、感光体ドラム１２を帯電させる帯電機構１３と、静電潜像形成機構１７からのレーザ光によって走査露光されることで感光体ドラム１２上に形成された静電潜像を現像する現像装置１４とを備えている。
【００１７】
また、トナー像形成装置１１は、転写後に感光体ドラム１２上に残った残留トナーを除去する不図示のクリーニング装置を備えている。
静電潜像形成機構１７は、図示しない半導体レーザ、変調器の他、半導体レーザから出射されたレーザ光を偏向走査するポリゴンミラー１８と、ポリゴンミラー１８を回転させるスキャナモータ１９とを備えている。
【００１８】
シート搬送系６０は、用紙Ｐを積載する用紙積載部６１と、用紙積載部６１から用紙を取り上げて供給するナジャーロール６２と、ナジャーロール６２から供給された用紙を１枚ずつ分離して搬送する給紙ロール６３と、給紙ロール６３により１枚ずつに分離された用紙を転写部５０に向けて搬送する搬送ロール６４とを備えている。
【００１９】
転写部５０は、トナー像形成装置１１に設けられた感光体ドラム１２と、この感光体ドラム１２の対向位置に配置された転写ロール１５とから構成されている。
定着器４０は、定着ロール４１と、この定着ロール４１に圧接して配置された加圧ロール４２とから構成されており、搬送されてきた用紙に熱および圧力を加え用紙上にトナー像を定着させる。
【００２０】
記録材処理装置９０は、定着器４０によって定着された用紙を本体１の外部に排出する形成部を兼ねた搬送部２０と、定着器４０によって定着がなされた用紙の搬送方向をガイドする案内部であるガイド部３０とを備えている。
搬送部２０は、不図示の駆動源からの駆動力を受け回転する排出ロール２２と、この排出ロール２２の対向位置に設けられた排出ピンチロール２３とを備え、搬送されてきた用紙に波形形状（コルゲーション、波打ち）を形成しながら本体１に設けられた排出部１ａに向けて排出する。
一方、ガイド部３０は、湾曲して形成され定着器４０から搬送されてきた用紙を搬送部２０に案内する。
【００２１】
次に、本実施形態における画像形成装置の動作について説明する。
プリント動作を開始すると、ナジャーロール６２、給紙ロール６３、搬送ロール６４により構成されたシート搬送系６０が用紙の搬送を開始する。即ち、ナジャーロール６２が用紙積載部６１から用紙を取り出し、給紙ロール６３、搬送ロール６４により用紙を転写部５０まで給送する。一方、静電潜像形成機構１７では、入力されてきたデータに応じて半導体レーザ(図示せず)から出射されたレーザ光をポリゴンミラー１８に出射する。
【００２２】
ポリゴンミラー１８は、入射されたレーザ光を偏向走査して感光体ドラム１２に照射する。感光体ドラム１２では、帯電機構１３によって帯電された表面が走査露光され、静電潜像が形成される。形成された静電潜像は、現像装置１４によってトナー像として現像される。そして、感光体ドラム１２上に形成されたトナー像は、搬送ロール６４により搬送されてきた用紙に転写部５０において転写される。
トナー像が転写された用紙は、定着器４０によって熱および圧力で定着処理を受けた後、ガイド部３０を通過して搬送部２０まで送られる。搬送部２０は、搬送されてきた用紙に波形形状を付与するとともに排出部１ａへの排出動作を行う。
【００２３】
次に、搬送部２０について詳細に説明する。
図２は、搬送部２０を示した説明図である。
同図に示すように、搬送部２０は、本体１に軸受け１ｂを介して回転可能に支持され不図示の駆動源からの駆動力を受け回転する排出ロール軸２５と、この排出ロール軸２５の軸方向に沿って複数（本実施形態においては４つ）設けられ排出ロール軸２５の回転とともに回転する排出ロール２２とを備えている。
【００２４】
また、搬送部２０は、排出ロール軸２５に取り付けられ後述する排出ピンチロール２３を支持する維持部としての支持部２７と、支持部２７に対して回転可能に設けられ排出ロール軸２５と略平行に配置された排出ピンチロール軸２６とを備えている。さらに、搬送部２０は、排出ピンチロール軸２６の軸方向に沿って複数（本実施形態においては２つ）設けられ且つ排出ロール２２に対向した位置に配置された排出ピンチロール２３を備えている。
【００２５】
支持部２７は、排出ロール軸２５と所定の間隔をおいた位置において排出ピンチロール軸２６を支持することで、排出ピンチロール２３と排出ロール２２との位置関係を規定している。また、支持部２７は、排出ピンチロール２３と排出ロール２２との相対位置を維持する役割も果たしている。
各排出ロール２２は、隣接する排出ロール２２と所定の間隙を有するとともに、排出ロール軸２５と同軸上に形成されている。
【００２６】
また、排出ピンチロール２３は、隣接する排出ピンチロール２３と所定の間隙を有するとともに、排出ピンチロール軸２６と同軸上に形成されている。また、各排出ピンチロール２３は、排出ピンチロール軸２６の軸方向における両端部に位置し排出ロール２２と接触する接触部２３ａと、接触部２３ａの間に形成されるとともに接触部２３ａよりも外径（直径）が大きく形成され隣接する排出ロール２２の間に突出する突出部２３ｂとを備えている。
【００２７】
上流側から搬送されてきた用紙は、突出部２３ｂ近傍において突出部２３ｂにより排出ロール２２側に膨らみ、用紙全体にゆるやかな波形形状が形成される。同時に、用紙は回転する排出ロール２２と排出ピンチロール２３とにより本体１の外部に排出される。このように搬送部２０は、用紙に波形形状を形成する形成部として機能するとともに用紙を搬送する搬送部としての機能も果たす。
波形形状が形成されると、用紙搬送方向の見かけ上の曲げ剛性が高くなり、排出ロール２２から排出途中の用紙が自重で折れ曲がることが抑制され、用紙詰まりや、排出部１ａ（図１参照）における積載不揃いの発生を抑制することができる。
【００２８】
さらに、本実施形態においては、搬送部２０を用紙の搬送方向と交差する方向（用紙の搬送方向と略直交する方向）に移動させる移動部７０が設けられている。この移動部７０により搬送部２０を移動させることで、用紙を用紙搬送方向と交差する方向に振り分けて排出する所謂オフセット動作を行うことが可能となる。
移動部７０は、本体１に支持された駆動源の一例としてのモータ７１と、このモータ７１に取り付けられモータ７１の駆動により回転するピニオンギア７２と、排出ロール軸２５と略平行に設けられ支持部２７の底面に取り付けられた直線ラック７３とを備えている。
【００２９】
なお、軸受け１ｂは、排出ロール軸２５のラジアル方向への移動を規制するが、スラスト方向への移動は規制しない構造となっている。一方、支持部２７と排出ロール軸２５との間ではスラスト方向への相対的な移動が規制される構造となっている。このため、モータ７１を駆動させオフセット動作を行うと、排出ロール軸２５は、支持部２７とともに用紙搬送方向に交差する方向に移動する。
【００３０】
次に、図３および図４を用いてガイド部３０について詳述する。
図３は、装置の上部を拡大して示した説明図である。また、図４は、装置の上部を上方から示した説明図である。
図３に示すように、ガイド部３０は、湾曲して搬送される用紙の半径方向外側に位置し半径方向外側に向かって膨らむ形で形成された外側ガイド部３１と、半径方向内側に位置し用紙との接触面が半径方向外側に向かって膨らむ形で形成された内側ガイド部３５とから構成されている。
【００３１】
また、図４に示すように、外側ガイド部３１は、この外側ガイド部３１と内側ガイド部３５との間に形成された用紙の搬送経路に向かって突出したリブ（板）状部材により構成されている。
本実施形態においては、このリブ状部材は、櫛歯状に複数（本実施形態においては６枚）設けられ、また、用紙の搬送方向と略直角方向に所定の間隔をおいて略平行に配置されている。また、このリブ状部材は搬送されてきた用紙と摺動し用紙を搬送部２０へ導く役割を果たす。さらに、このリブ状部材は、支持部２７に取り付けられ支持部２７と一体に構成されている。本構成において定着器４０の定着ロール４１と加圧ロール４２とにより定着が行われた用紙は、外側ガイド部３１と内側ガイド部３５との間を通過し搬送部２０まで到達する。そして、この搬送部２０により装置の外部に排出される。
【００３２】
本図においては、上述のとおり、移動部７０（図２参照）により支持部２７が用紙搬送方向と交差する方向に移動することでオフセット動作が行われる。本実施形態においては、オフセット動作により用紙が移動する際、外側ガイド部３１は、支持部２７と同速度で同方向に同量移動する。このため、用紙の波形形状における凸部が外側ガイド部３１により潰されることにより発生する騒音を防止することができる。なお、内側ガイド部３５は、支持部２７ではなく本体１側に設けられているが、オフセット動作時点では用紙とは接触しないため騒音が発生することはない。
【００３３】
なお、本実施形態においては、用紙の搬送方向と交差する方向において、排出ピンチロール２３の突出部２３ｂの位置と、外側ガイド部３１を構成するリブ状部材との位置をずらして配置している（図中Ａ部参照）。このように位置をずらすことで、リブ状部材による波形形状における凸部の潰れが減少し、用紙とリブ状部材との擦過音を抑制することができる。なお、本図においては、接触部２３ａ（図２参照）等の図示を省略している。
【００３４】
−第２の実施形態−
次に、第２の実施形態について図５、図６を用いて説明する。上記第１の実施形態では、外側ガイド部３１は、支持部２７に対して移動できない状態で固定されていた。これに対し第２の実施形態では、外側ガイド部３１が支持部２７に対し回転移動可能（揺動可能）に設けられた構成としている。なお、実施の形態１と同様の機能については、同様の符号を用いここではその説明を省略する。
【００３５】
本実施形態においては、上述のとおり、この外側ガイド部３１が支持部２７に対し回転移動可能（揺動可能）に設けられた構成としている。具体的には、外側ガイド部３１は、オフセット移動方向と直行する領域において、支持部２７により保持された保持部を中心として記録材の搬送経路から離れる方向（図中矢印Ｂ参照）に回転移動可能（揺動可能）に設けられている。このため、用紙の搬送経路においてジャムが発生した場合であっても、外側ガイド部３１を回転させ搬送経路から離すことでジャムクリアを容易に行うことができる。
【００３６】
また、第１の実施形態においては、外側ガイド部３１を、支持部２７から定着器４０近傍まで配置していたが、本実施形態においては、外側ガイド部３１を、支持部２７から定着器４０に至る用紙搬送経路の中程まで配置する構成としている。また、外側ガイド部３１と定着器４０との間には、定着器４０から搬送（排出）されてきた用紙の搬送方向を外側ガイド部３１に向けて規定する規定部としての本体側ガイド部３８を設ける構成としている。
【００３７】
より詳細に説明すると、外側ガイド部３１は、この外側ガイド部３１の用紙搬送方向上流の端部が、オフセット動作時点で用紙の後端が位置する部分よりも用紙搬送方向上流側に位置するように配置してある。一方、本体側ガイド部３８は、オフセット動作時点における用紙の後端位置よりも用紙搬送方向上流側に配置してある。
【００３８】
また、本体側ガイド部３８は、定着器４０に取り付けられるとともに外側ガイド部３１および支持部２７とは連動しない状態で設けられている。さらに、本体側ガイド部３８は、用紙の搬送方向と交差する方向に複数枚並列に配置されているとともに、用紙搬送方向下流側における端部が同じく並列に並んで配置された外側ガイド部３１の間に入り込む構成となっている。定着器４０から排出されてきた用紙は、この本体側ガイド部３８により外側ガイド部３１に案内される。
【００３９】
本体側ガイド部３８は、上述のとおり支持部２７とは連動しない状態で配置されているものの、オフセット動作時点において用紙の後端と接触しない位置に配置されている。このため、用紙の波形形状における凸部が潰れることにより生ずる異音は発生しない。一方で、外側ガイド部３１は、オフセット動作時点において用紙と接触するものの支持部２７とともに移動するため、用紙の波形形状における凸部が潰されることにより生ずる異音の発生は抑制される。
【００４０】
このようにオフセット動作時点における用紙の後端近傍と接触する部分を支持部２７とともに移動させれば、異音の発生を抑制することができる。即ち、ガイド部３０のうちオフセット動作中における用紙の後端近傍と接触する部分を支持部２７とともに移動させるようにすれば、異音の発生を抑制することができる。このため、上記の本体側ガイド部３８のように、用紙の後端部分が既に通過しておりオフセット動作時点において用紙と接触しない部分については、本体１側に設けることができる。
【００４１】
図６は、装置の上部を上方から示した説明図である。
同図に示すように、外側ガイド部３１は、第１の実施形態と同様に複数枚にリブ（板）状部材により構成されている。そして、各リブ状部材は、用紙搬送方向と交差する方向に所定の間隔をおいて略平行に配置されている。本体側ガイド部３８は、外側ガイド部３１と同様に、複数枚にリブ状部材により構成されるとともに、各リブ状部材は、用紙搬送方向と交差する方向に所定の間隔をおいて略平行に配置されている。また、本体側ガイド部３８を構成する各リブ状部材は、外側ガイド部３１を構成する各リブ状部材の間にその一部が入り込む構成となっている。
【００４２】
本実施形態において、定着器４０の定着ロール４１と加圧ロール４２とにより定着が行われた用紙は、外側ガイド部３１と内側ガイド部３５との間の用紙搬送経路を通過し搬送部２０まで到達する。そして、この搬送部２０により本体１の外部に排出される。また、オフセット動作が起こると、外側ガイド部３１を構成する各リブ状部材は、本体側ガイド部３８を構成する各リブ状部材の間において、支持部２７とともに用紙搬送方向と交差する方向に移動する。
【００４３】
―第３の実施形態―
次に第３の実施形態について図７、図８を用いて説明する。上記第１および第２の実施形態では外側ガイド部３１は、支持部２７に取り付けられていた。第３の実施形態では、外側ガイド部３１を本体１側に取り付けた点を特徴とする。なお、第１および第２の実施の形態と同様の機能のついては、同様の符号を用いここではその詳細な説明を省略する。
【００４４】
図７は、装置の上部を拡大して示した説明図である。本実施形態においては、外側ガイド部３１周辺を第１の実施形態と異ならせている。
本実施形態においては、本体１（装置本体部）に対して開閉可能に取り付けられた開閉部としての開口扉１ｄと、開口扉１ｄを本体１に対して回転可能に取り付けるヒンジ１ｅとが設けられている。
【００４５】
また、本実施形態における画像形成装置は、開口扉１ｄ側に支持されるとともに外側ガイド部３１と開口扉１ｄとの間に位置し外側ガイド部３１を開口扉１ｄに対してスライド可能に支持するスライド支持部材８３を備えている。このスライド支持部材８３は、外側ガイド部３１をオフセットの動作方向と略平行に移動させるガイドとしての機能も有する。また、本実施形態における画像形成装置は、外側ガイド部３１と支持部２７との間に位置し、開口扉１ｄが閉じた際に外側ガイド部３１と支持部２７とを係合させるリンク部としてのリンク部材８４を備えている。
【００４６】
本図に示す状態から開口扉１ｄを本体１から離れる方向に移動させると、開口扉１ｄが
ヒンジ１ｅを中心として回転し、外側ガイド部３１はスライド支持部材８３を介して開口扉１ｄとともに本体１の外方へ移動する。この結果、開口扉１ｄを開けた状態では、外側ガイド部３１が開口扉１ｄと共に搬送部２０から大きく離れる状態となる。このため、本体１の内部に用紙が詰まった際に、この詰まった用紙の除去作業を容易に行うことが可能となる。
【００４７】
一方、開口した状態から、開口扉１ｄを閉じると外側ガイド部３１はリンク部材８４を介して支持部２７に係合（接続）する。リンク部材８４には、支持部２７側の先端にＶ字状の溝が形成されている。一方、支持部２７側にもリンク部材８４と係合する溝（不図示）が形成されている。本実施形態においては、この溝同士が噛み合うことで外側ガイド部３１と支持部２７とが係合し、外側ガイド部３１と支持部２７とが連動可能な状態となる。
なお、本実施形態においては、別部品により形成されたリンク部材８４を外側ガイド部３１に取り付けた構成となっているが、外側ガイド部３１と一体に形成することもできる。また、リンク部材８４は、支持部２７側に設けることもできる。
【００４８】
図８は、装置の上部を上方から示した説明図である。
上記スライド支持部材８３は、開口扉１ｄから本体１の内方に向かって突出して配置された２つの腕部８３ａと、この両腕部８３ａにより支持され用紙の搬送方向と交差する方向に配置された支持軸８３ｂとから構成されている。そして、外側ガイド部３１は、この支持軸８３ｂにより、この支持軸８３ｂの軸方向にスライド可能に設けられている。
【００４９】
開口扉１ｄを閉じると、リンク部材８４により外側ガイド部３１は支持部２７と係合する。このため、開口扉１ｄが閉じた状態では、支持部２７と外側ガイド部３１とが係合し、外側ガイド部３１は、オフセット動作が行われた際に支持部２７と同速度で同方向に同量移動する。この結果、第１の実施形態と同様に外側ガイド部３１が用紙の波形形状を潰すことによって発生する騒音を防止することができる。
【００５０】
なお、以上説明した実施形態においては、記録材処理装置９０がプリンタの内部に設けられた例を説明したが、記録材処理装置９０は、プリンタの本体とは別のユニットとして形成することもできる。また、記録材処理装置９０は、プリンタ以外の装置、例えば複写機、ファックスなどの他の画像形成装置に対しても適用することが可能である。
【図面の簡単な説明】
【００５１】
【図１】第１の実施形態に係る画像形成装置の全体構成を示した図である。
【図２】搬送部を示した説明図である。
【図３】装置の上部を拡大して示した説明図である。
【図４】装置の上部を上方から示した説明図である。
【図５】第２の実施形態に係る画像形成装置の上部を拡大して示した説明図である。
【図６】装置の上部を上方から示した説明図である。
【図７】第３の実施形態に係る画像形成装置の上部を拡大して示した説明図である。
【図８】装置の上部を上方から示した説明図である。
【符号の説明】
【００５２】
１…本体（装置本体部）、１ｄ…開口扉、１０…画像形成部、２０…搬送部（形成部）、２２…排出ロール、２３…排出ピンチロール、２７…支持部（維持部）、３１…外側ガイド部、３８…本体側ガイド部、４０…定着器、７０…移動部、８３…スライド支持部材、８４…リンク部材、９０…記録材処理装置
【図１】
2008063071.tif 000003
【図２】
2008063071.tif 000004
【図３】
2008063071.tif 000005
【図４】
2008063071.tif 000006
【図５】
2008063071.tif 000007
【図６】
2008063071.tif 000008
【図７】
2008063071.tif 000009
【図８】
2008063071.tif 000010